(57)【要約】【課題】  本発明は、ＵＨＦ帯の電波を利用したＲＦＩＤリーダと連動して動作しても、基地局との通信に利用される電波の状態を維持することができる携帯電話装置を提供することを目的とする。【解決手段】  本発明の携帯電話装置は、ＲＦＩＤリーダ部２を搭載した携帯電話装置であって、携帯電話通信を行う無線部１２と、前記無線部１２の無線通信を制御する制御部１１と、を備え、前記制御部１１は、前記無線部１２により回線が接続された状態にある回線接続区間での前記ＲＦＩＤリーダ部２の読み取り動作を禁止する信号を、前記ＲＦＩＤリーダ部２に出力するものである。【選択図】  図１
2006203545.tif 000002
【特許請求の範囲】
【請求項１】
ＲＦＩＤリーダを搭載した携帯電話装置であって、
携帯電話通信を行う無線手段と、
前記無線手段の無線通信を制御する制御手段と、を備え、
前記制御手段は、前記無線手段により回線が接続された状態にある回線接続区間での前記ＲＦＩＤリーダの読み取り動作を禁止する信号を、前記ＲＦＩＤリーダに出力する携帯電話装置。
【請求項２】
ＲＦＩＤリーダに接続可能な携帯電話装置であって、
携帯電話通信を行う無線手段と、
前記無線手段の無線通信を制御する制御手段と、を備え、
前記制御手段は、前記無線手段により回線が接続された状態にある回線接続区間での前記ＲＦＩＤリーダの読み取り動作を禁止する信号を、前記ＲＦＩＤリーダに出力する携帯電話装置。
【請求項３】
請求項１または２記載の携帯電話装置であって、
前記制御手段は、前記無線手段によりデータを送信している状態にある送信区間での前記ＲＦＩＤリーダの読み取り動作を禁止する信号を、前記ＲＦＩＤリーダに出力する携帯電話装置。
【発明の詳細な説明】
【技術分野】
【０００１】
本発明は、ＲＦＩＤタグに記憶された個別情報を読み取るＲＦＩＤリーダと連動して動作する携帯電話装置に関する。
【背景技術】
【０００２】
近年、ＲＦＩＤ（Radio Frequency IDentification）タグに記憶された人や物の個別情報を、ＲＦＩＤリーダにより無線通信を利用して読み取るシステムが利用されている。このシステムを利用したサービスの例としては、各種会場における入場者の入退場の読み取り、製品情報（製造年月、流通過程、検査情報など）の読み取り、などが挙げられる。このシステムを利用することにより、ＲＦＩＤタグを所有する人の入退場の管理やＲＦＩＤタグを有する製品の物流の管理を簡易に、かつ、より詳細に行うことができる。
【０００３】
これまで、ＲＦＩＤタグ−ＲＦＩＤリーダ間の通信には、長波帯または中波帯の電波が利用されることが多かった。表１に、ＲＦＩＤに利用される電波の周波数およびその周波数帯の特徴を示す。長波帯または中波帯の電波を利用したＲＦＩＤでは、ＲＦＩＤタグとＲＦＩＤリーダとの間の通信距離が数ｃｍ程度でなければ通信することができず、ＲＦＩＤタグをＲＦＩＤリーダに接触させるようにしてＲＦＩＤリーダに個別情報を読み取らせる必要があった。
【０００４】
【表１】
2006203545.tif 000003
【０００５】
そこで、近年、ＲＦＩＤタグとＲＦＩＤリーダとの間の通信距離がさらに長くなっても通信することができるよう、別の周波数帯の電波を利用したＲＦＩＤが考案されている。その別の周波数帯として挙げられているのが、表１に示す、ＵＨＦ帯である。ＵＨＦ帯の電波を利用したＲＦＩＤでは、１０ｍ程度の通信距離が期待されいる。また、ＵＨＦ帯の電波は、回折現象が発生し易く、ＲＦＩＤタグとＲＦＩＤリーダとの間に人や物が存在してしまってもその人や物を回り込むように伝搬するため、例えば、ＲＦＩＤリーダから見てその人や物の裏側にＲＦＩＤタグが貼り付けられていた場合などでも、ＲＦＩＤタグを認識することができる。このため、ＵＨＦ帯の電波を利用したＲＦＩＤは、利用範囲の拡大が期待されている。
【０００６】
一方、ＲＦＩＤリーダと連動して機能する携帯端末装置が提案されている（特許文献１参照）。この携帯端末装置によれば、ＲＦＩＤリーダから読み出したＲＦＩＤタグの情報を利用して、さまざまなアプリケーション・サービスを携帯端末装置上で実行することができる。例えば、携帯端末装置上の操作キーやディスプレイなどのユーザ・インターフェースを用いてＲＦＩＤタグに対するユーザインタラクションを携帯端末装置上で行うことができる。また、携帯端末装置用の基地局を介して、ＲＦＩＤタグ内に記憶された内容を電話網やインターネット経由でやり取りすることにより、携帯電話装置で商品情報を入手することや、音楽データをダウンロードすることができる。このように、ＲＦＩＤリーダと連動して機能する携帯電話装置により、当該装置利用者は、様々なサービスを利用することができる。
【０００７】
【特許文献１】特開２００４−１４５４５０号公報
【発明の開示】
【発明が解決しようとする課題】
【０００８】
しかしながら、特許文献１のＲＦＩＤリーダと連動して動作する携帯電話装置は、ＲＦＩＤタグとの通信に利用する電波が当該携帯電話装置用の基地局との通信に利用する送信用（上り）の電波に干渉してしまうため、基地局との通信に悪影響を与えてしまう。この課題に対して、特許文献１の携帯電話装置は、ＲＦＩＤタグとの通信に利用する電波のうちの特定の周波数帯を、フィルタを用いて減衰させることにより干渉を抑制している。しかし、携帯電話装置がＵＨＦ帯の電波を利用したＲＦＩＤリーダと連動して動作するようになると、図７の、ＲＦＩＤに利用されるＵＨＦ帯の電波と携帯電話装置用の基地局との通信に利用される電波の周波数分布に示すように、ＲＦＩＤに利用されるＵＨＦ帯の電波は、およそ９５０〜９５６〔ＭHｚ〕に分布しており、一方、ＰＤＣを利用した携帯電話装置に利用される送信用（携帯電話装置などの移動局から基地局への上り）の電波は、当該ＵＨＦ帯の電波を挟むよう隣接して分布しており、この周波数分布に対応できる小型で急峻なフィルタを作ることが難しいため、特許文献１のようにフィルタによる干渉の抑制を行うことが困難になる。
【０００９】
本発明は、上記事情に鑑みてなされたもので、ＵＨＦ帯の電波を利用したＲＦＩＤリーダと連動して動作しても、基地局との通信に利用される電波の状態を維持することができる携帯電話装置を提供することを目的とする。
【課題を解決するための手段】
【００１０】
本発明の携帯電話装置は、ＲＦＩＤリーダを搭載した携帯電話装置であって、携帯電話通信を行う無線手段と、前記無線手段の無線通信を制御する制御手段と、を備え、前記制御手段は、前記無線手段により回線が接続された状態にある回線接続区間での前記ＲＦＩＤリーダの読み取り動作を禁止する信号を、前記ＲＦＩＤリーダに出力するものである。
【００１１】
この構成によれば、無線手段の動作状態に応じて、ＲＦＩＤリーダの動作状態を制御することにより、お互いの無線通信に利用される電波が干渉することがないため、基地局との通信に利用される電波の状態を維持することができる。
【００１２】
本発明の携帯電話装置は、ＲＦＩＤリーダに接続可能な携帯電話装置であって、携帯電話通信を行う無線手段と、前記無線手段の無線通信を制御する制御手段と、を備え、前記制御手段は、前記無線手段により回線が接続された状態にある回線接続区間での前記ＲＦＩＤリーダの読み取り動作を禁止する信号を、前記ＲＦＩＤリーダに出力するものである。
【００１３】
この構成によれば、外付け用のＲＦＩＤリーダに対しても、無線手段の動作状態に応じて、ＲＦＩＤリーダの動作状態を制御することにより、お互いの無線通信に利用される電波が干渉することがないため、基地局との通信に利用される電波の状態を維持することができる。
【００１４】
また、発明の携帯電話装置は、前記制御手段は、前記無線手段によりデータを送信している状態にある送信区間での前記ＲＦＩＤリーダの読み取り動作を禁止する信号を、前記ＲＦＩＤリーダに出力するものを含む。
【００１５】
この構成によれば、ＲＦＩＤリーダによりＲＦＩＤタグから個別情報を読み取りながら、その読み取った個別情報に応じて、無線手段により外部に設けられたサーバと無線通信することができる。
【発明の効果】
【００１６】
本発明の携帯電話装置によれば、ＵＨＦ帯の電波を利用したＲＦＩＤリーダと連動して動作しても、当該携帯電話装置用の基地局との通信状態を維持することができる。
【発明を実施するための最良の形態】
【００１７】
（第１実施形態）
本発明の第１実施形態の携帯電話装置について、図面を参照して詳細に説明する。
図１に、本発明の第１実施形態の携帯電話装置の構成図を示す。
【００１８】
本発明の第１実施形態の携帯電話装置は、携帯電話部１と、ＲＦＩＤリーダ部２と、から構成され、ＲＦＩＤリーダを搭載している。
【００１９】
携帯電話部１は、制御部１１、無線部、アンテナ１３、処理部１４、送受話部１５、表示部１６、操作部１７を含んで構成される。制御部１１は、携帯電話部１により実行可能な各種機能の実行を制御する。無線部１２は、アンテナ１３を介して基地局と無線通信を行う。処理部１４は、無線部１２から入力したデータを所定のデータへ変換する処理を行う。送受話部１５は、処理部１４から入力した音声データを音声に変換して出力する。表示部１６は、制御部１１から出力された表示用のデータを表示する。操作部１７は、携帯電話装置の利用者から各種操作を受け付け、操作情報を制御部に出力する。
【００２０】
ＲＦＩＤリーダ部２は、ＲＦＩＤタグに記憶された人や物の個別情報の読出しを制御するＲＦＩＤリーダ制御部２１、アンテナ２３を介してＲＦＩＤタグとＵＨＦ帯の無線による無線通信を行うＲＦＩＤリーダ無線部２２、を含んで構成される。ＲＦＩＤリーダ制御部２１は、携帯電話部１の制御部１１から入力した、携帯電話部１による携帯無線通信による通信状況を通知する信号に応じて、ＲＦＩＤリーダ無線部２２の動作を制御する。
【００２１】
ＲＦＩＤリーダ制御部２１によるＲＦＩＤリーダ無線部２２の動作制御について、図２に示す。本発明の第１実施形態の携帯電話装置における、携帯電話部１の通信状況およびＲＦＩＤリーダ部２の動作状態のタイムチャートを参照して説明する。制御部１１は、無線部１２により通信回線が確立されていない場合（携帯電話部１が通信停止の状態にある、時刻ｔ０から時刻ｔ１までの区間）、通信回線が確立されていないことを通知するためのオフ信号をＲＦＩＤリーダ制御部２１に出力する。ＲＦＩＤリーダ制御部２１は、制御部１１からそのオフ信号が入力されている間、ＲＦＩＤリーダ無線部２２を動作可能にする（ＲＦＩＤリーダ部の動作許可状態）。逆に、制御部１１は、無線部１２により、音声通話またはデータ通信のために通信回線が確立されている場合（携帯電話部が通信中の状態にある、時刻ｔ１から時刻ｔ２までの区間、および、時刻ｔ２以降）、通信回線が確立されていることを通知するためのオン信号をＲＦＩＤリーダ制御部２１に出力する。ＲＦＩＤリーダ制御部２１は、制御部１１からそのオン信号を入力している間、ＲＦＩＤリーダ無線部２２を動作させない（ＲＦＩＤリーダ部の動作禁止状態）。
【００２２】
ＲＦＩＤリーダ制御部２１は、オン信号またはオフ信号を入力している区間では、その信号に応じてＲＦＩＤリーダ無線部２２の動作の可、不可を制御するようにしているが、オン信号またはオフ信号を入力したときに、その信号に応じてＲＦＩＤリーダ無線部２２の動作の可、不可を切り替えるように制御するようにしても良い。
【００２３】
本発明の第１実施形態の携帯電話装置は、携帯無線通信による通信状況に応じて、ＲＦＩＤリーダ無線部２２の動作状態を制御することにより、お互いの無線通信に利用される電波が干渉することがないため、基地局との通信に利用される電波の状態を維持することができる。
【００２４】
さらに、本発明の第１実施形態の携帯電話装置は、ＲＦＩＤリーダ部２のＲＦＩＤリーダ無線部２２によりＲＦＩＤタグから個別情報を読み取りながら、その読み取った個別情報に応じて、無線部１１により無線通信することも想定される。この利用方法を実現するために、まず、制御部１１の無線部１２の制御方法について詳細に説明する。図３に、本発明の第１実施形態の携帯電話装置における、携帯電話部の送信状態およびＲＦＩＤリーダ部の動作状態のタイムチャートを示す。
【００２５】
無線部１２は、基地局との無線通信中、所定の時間間隔毎に送信状態、受信状態を交互に繰り返している。具体的には、例えば図３の携帯電話部の通信状況に示すように、４０〔ｍｓ〕毎に、送信状態、受信状態を交互に繰り返し、送信状態は約６．７〔ｍｓ〕、受信状態または送信も受信も行っていない待機状態は残りの約３３．３〔ｍｓ〕に含まれる。
【００２６】
このため、ＲＦＩＤリーダ部２のＲＦＩＤリーダ無線部２２によりＲＦＩＤタグから個別情報を読み取りながら、無線部１１により無線通信するためには、制御部１１は、図３のＲＦＩＤリーダ部の動作状態に示すように、無線部１２により基地局からデータを受信している間あるいは待機している間に、ＲＦＩＤリーダ部２を動作させ、無線部１２により基地局にデータを送信している間に、ＲＦＩＤリーダ部２を動作させないようにすれば良い。具体的には、制御部１１は、無線部１２により基地局からデータを受信している場合あるいは待機している場合（携帯電話部が送信停止の状態にある、時刻ｔ０から時刻ｔ１まで、時刻ｔ２から時刻ｔ３まで、時刻ｔ４から時刻ｔ５までの区間、および、時刻ｔ８以降）、無線部１２の通信状況が送信状態でないことを通知するためのオフ信号をＲＦＩＤリーダ制御部２１に出力する。ＲＦＩＤリーダ制御部２１は、制御部１１からそのオフ信号を入力している間、ＲＦＩＤリーダ無線部２２を動作可能にする（ＲＦＩＤリーダ部の動作許可状態）。逆に、制御部１１は、無線部１２により基地局にデータを送信している場合（携帯電話部が送信中の状態にある、時刻ｔ１から時刻ｔ２まで、時刻ｔ３から時刻ｔ４まで、時刻ｔ５から時刻ｔ６、時刻ｔ７から時刻ｔ８までまでの区間）、無線部１２の通信状況が送信状態であることを通知するためのオン信号をＲＦＩＤリーダ制御部２１に出力する。ＲＦＩＤリーダ制御部２１は、制御部１１からそのオン信号を入力している間、ＲＦＩＤリーダ無線部２２を動作させない（ＲＦＩＤリーダ部の動作禁止状態）。ＲＦＩＤリーダ部のこの動作状態を、以後、ＲＦＩＤリーダ部の間欠動作状態と称する。
【００２７】
本発明の第１実施形態の携帯電話装置は、無線部１１の通信状況に応じて、ＲＦＩＤリーダ無線部２２の動作状態を制御することにより、無線部１１によるデータ送信時に利用される電波とＲＦＩＤリーダ部２のＲＦＩＤリーダ無線部２１により利用されるＵＨＦ帯の電波が干渉することなしに、ＲＦＩＤリーダ部２のＲＦＩＤリーダ無線部２２によりＲＦＩＤタグから個別情報を読み取りながら、その読み取った個別情報に応じて、無線部１１により外部に設けられたサーバと無線通信することができる。
【００２８】
次に、本発明の第１実施形態の携帯電話装置におけるＲＦＩＤリーダ制御時の処理の流れを、図４に示す、本発明の第１実施形態の携帯電話装置におけるＲＦＩＤリーダ制御のフローチャートを参照して説明する。なお、図４のフローチャートは、図面左側が携帯電話部１の処理フロー、図面右側がＲＦＩＤリーダ部２の処理フローになっている。
【００２９】
制御部１１は、無線部１２の通信状況を監視しており、無線部１２の通信回線が確立されていない場合は（Ｓ３０、ＮＯ）、通信回線が確立されていないことを通知するためのオフ信号をＲＦＩＤリーダ制御部２１に出力し（Ｓ３１）、ＲＦＩＤリーダ部２の動作を許可することを表示部１６に表示する（Ｓ３２）。ＲＦＩＤタグの読み取りを行わず、待機状態であったＲＦＩＤリーダ部２において、ＲＦＩＤリーダ制御部２１は、ステップＳ３１のオフ信号が入力されると（Ｓ４０、ＹＥＳ）、ＲＦＩＤリーダ無線部２２を動作可能にする（Ｓ４１、ＲＦＩＤリーダ部の動作許可状態）。
【００３０】
また、制御部１１は、無線部１２が音声通話またはデータ通信のために通信回線が確立されたことを検知すると（Ｓ３０、ＹＥＳ）、ＲＦＩＤリーダ部２のＲＦＩＤリーダ無線部２２によるＲＦＩＤタグからの個別情報の読み取りと無線部１１による無線通信とを連携して行うためのアプリケーションが動作しているか否かを判別する（Ｓ３３）。制御部１１は、このアプリケーションが動作していないと判別した場合（Ｓ３３、ＮＯ）、通信回線が確立されていることを通知するためのオン信号をＲＦＩＤリーダ制御部２１に出力し（Ｓ３４）、ＲＦＩＤリーダ部２の動作を禁止することを表示部１６に表示する（Ｓ３５）。ＲＦＩＤリーダ制御部２１は、制御部１１からそのオン信号が入力されると（Ｓ４０、ＮＯ）、ＲＦＩＤリーダ無線部２２を動作させない（Ｓ４２、ＲＦＩＤリーダ部の動作禁止状態）。ステップ３０の処理において、携帯電話部への着信を検知するようにして、ＲＦＩＤリーダ無線部２２を動作させず、音声通話が優先されるようにしても良い。
【００３１】
制御部１１は、上述のアプリケーションが動作していると判別した場合に（Ｓ３３、ＹＥＳ）、無線部１２により基地局からデータを受信している場合あるいは待機している場合（Ｓ３６、ＮＯ）、無線部１２の通信状況が送信状態でないことを通知するためのオフ信号をＲＦＩＤリーダ制御部２１に出力する（Ｓ３７）。ＲＦＩＤリーダ制御部２１は、制御部１１からそのオフ信号が入力されると（Ｓ４０、ＹＥＳ）、ＲＦＩＤリーダ無線部２２を動作可能にする（Ｓ４１、ＲＦＩＤリーダ部の動作許可状態）。また、制御部１１は、無線部１２により基地局にデータを送信している場合（Ｓ３６、ＹＥＳ）、無線部１２の通信状況が送信状態であることを通知するためのオン信号をＲＦＩＤリーダ制御部２１に出力する（Ｓ３８）。ＲＦＩＤリーダ制御部２１は、制御部１１からそのオン信号が入力されると（Ｓ４０、ＮＯ）、ＲＦＩＤリーダ無線部２２を動作させない（Ｓ４２、ＲＦＩＤリーダ部の動作禁止状態）。制御部１１は、無線部１２が無線通信を終了したことを検知すると（Ｓ３９、ＹＥＳ）、ステップ３０の処理に戻る。
【００３２】
なお、ステップＳ３３にて通信中のＲＦＩＤリーダの動作を、間欠動作とするか、通信中は動作禁止とするかを、ＲＦＩＤリーダ用アプリケーション動作中かどうかで判断を行ったが、データ通信であれば間欠動作、音声通話であれば動作禁止とするように判断を行っても良い。
【００３３】
本発明の第１実施形態の携帯電話装置の具体的な実施例として、以下のような例が挙げられる。美術館や博物館の展示物周辺に、その展示物の識別情報を記録したＲＦＩＤタグを、その識別情報毎に製作者、歴史背景、解説などの情報を記憶したデータベースを、それぞれ設けておく。本発明の実施の携帯の携帯電話装置に搭載されたＲＦＩＤリーダによりそのＲＦＩＤタグを読み取って、その読み取った識別情報に対応する情報を当該装置の無線部によりデータベースから受信することにより、当該装置利用者は、ＲＦＩＤリーダによる無線通信と携帯電話装置による無線通信とを逐次切り替える操作を必要とせずに、展示物に関する情報をより詳細に、即座に得ることができる。
【００３４】
また、別の例としては、電柱、バスターミナル、駅、公共施設、など様々な場所に、その場所の位置情報を記憶したＲＦＩＤタグを、その位置情報毎の地図情報や街情報を記憶したデータベースを、それぞれ設けておく。本発明の実施の形態の携帯電話装置に搭載されたＲＦＩＤリーダによりそのＲＦＩＤタグを読み取って、その読み取った位置情報に対応する情報やその位置情報から算出された目的地への道順などを当該装置の無線部によりデータベースから受信することにより、当該装置利用者は、ＲＦＩＤリーダによる無線通信と携帯電話装置による無線通信とを逐次切り替える操作を必要とせずに、街の見所、交通状況、目的地への誘導などに関する情報をより詳細に、即座に得ることができる。
【００３５】
なお、本発明の第１実施形態の携帯電話装置は、ＲＦＩＤリーダによりＲＦＩＤタグから識別情報を読み取るように記載したが、ＲＦＩＤタグに限るものではなく、非接触ＩＣカード、非接触ＩＣカード機能を有するＩＣチップなど、にも利用することができる。
【００３６】
（第２実施形態）
本発明の第２実施形態の携帯電話装置について、図面を参照して詳細に説明する。
図５に、本発明の第２実施形態の携帯電話装置の構成図を示す。本発明の第２実施形態の携帯電話装置は、ＲＦＩＤリーダと接続するために、外部インターフェース部１８を備え、また、ＲＦＩＤリーダも外部インターフェース部２４を備えている点が、本発明の第１実施形態の携帯電話装置の構成と異なる。
【００３７】
携帯電話装置の制御部１１は、外部インターフェース１８、２４を介して、オン信号またはオフ信号をＲＦＩＤリーダのＲＦＩＤリーダ制御部２１に送信する。一方、ＲＦＩＤリーダのＲＦＩＤリーダ制御部２１は、外部インターフェース１８、２４を介して受信したオン信号またはオフ信号に基づいて、ＲＦＩＤリーダ無線部２２の動作状態を制御する。本発明の第２実施形態の携帯電話装置は、この外部インターフェース部１８、２４により、外付け用のＲＦＩＤリーダに対しても、本発明の第１実施形態の携帯電話装置と同様の効果を得ることができる。
【００３８】
なお、本発明の第１実施形態、第２実施形態の携帯電話装置は、当該装置の携帯無線通信による通信状況に応じて、ＲＦＩＤリーダの動作状態を制御することにより、お互いの無線通信に利用される電波が干渉することがないようにしたが、間欠動作状態におけるＲＦＩＤリーダ動作中に、音声着信やメール着信などにより通信を開始せざるを得ない場合も考えられる。この場合の携帯電話装置の制御部１１の制御について、図６に示す、本発明の第１、２実施形態の携帯電話装置における、間欠動作状態におけるＲＦＩＤリーダ部の動作切替のタイムチャートを参照して、説明する。
【００３９】
制御部１１は、ＲＦＩＤリーダが間欠動作状態にある状態において、無線部１２により基地局からデータを受信している場合あるいは待機している場合、（携帯電話部が送信停止の状態にある、時刻ｔ２から時刻ｔ４までの区間）、無線部１２により音声着信あるいはメール着信があることを検知（時刻ｔ３において検知）すると、通信を開始するために、音声着信あるいはメール着信に応答したことを知らせるための通知信号を基地局に送信するよう無線部１２を制御する必要がある。しかし、制御部１１は、時刻ｔ２から時刻ｔ４までの区間においては、データ送信することができないため、この通知信号を基地局に送信することができず、その結果、音声着信あるいはメール着信に応答することができない。
【００４０】
ここで、制御部１１は、無線部１２により音声着信あるいはメール着信を時刻ｔ３にて検知すると、携帯電話部が送信停止の状態にある時刻ｔ２から時刻ｔ４までの区間終了後、オン信号を出力してＲＦＩＤリーダの動作を禁止し、上述の通知信号を時刻ｔ４以降に基地局に送信するよう無線部１２を制御して、音声通話あるいはメール通信を開始する。
【００４１】
この構成により、本発明の第１、２実施形態の携帯電話装置は、間欠動作状態におけるＲＦＩＤリーダ動作中に音声着信やメール着信などの着信があった場合でも、音声通話あるいはメール通信を確実に開始することができる。
【産業上の利用可能性】
【００４２】
本発明の携帯電話装置によれば、ＵＨＦ帯の電波を利用したＲＦＩＤリーダと連動して動作しても、当該携帯電話装置用の基地局との通信状態を維持することができるという効果を奏し、ＵＨＦ帯の電波による無線通信を利用して、ＲＦＩＤタグに記憶された個別情報を読み取るＲＦＩＤリーダと連動して動作する携帯電話装置に関して有用である。
【図面の簡単な説明】
【００４３】
【図１】本発明の第１実施形態の携帯電話装置の構成図
【図２】本発明の第１実施形態の携帯電話装置における、携帯電話部の通信状況およびＲＦＩＤリーダ部の動作状態のタイムチャート、
【図３】本発明の第１実施形態の携帯電話装置における、携帯電話部の送信状態およびＲＦＩＤリーダ部の動作状態のタイムチャート
【図４】本発明の第１実施形態の携帯電話装置におけるＲＦＩＤリーダ部制御のフローチャート
【図５】本発明の第２実施形態の携帯電話装置の構成図
【図６】本発明の第１、２実施形態の携帯電話装置における、間欠動作状態におけるＲＦＩＤリーダ部の動作切替のタイムチャート
【図７】ＲＦＩＤに利用されるＵＨＦ帯の電波と携帯電話装置用の基地局との通信に利用される電波の周波数分布
【符号の説明】
【００４４】
１  携帯電話部
１１  制御部
１２  無線部
１３  アンテナ
１４  処理部
１５  送受話部
１６  表示部
１７  操作部
１８  外部インターフェース部
２  ＲＦＩＤリーダ部
２１  ＲＦＩＤリーダ制御部
２２  ＲＦＩＤリーダ無線部
２３  アンテナ
２４  外部インターフェース部
【図１】
2006203545.tif 000004
【図２】
2006203545.tif 000005
【図３】
2006203545.tif 000006
【図４】
2006203545.tif 000007
【図５】
2006203545.tif 000008
【図６】
2006203545.tif 000009
【図７】
2006203545.tif 000010